(57)【要約】【課題】通信可能な携帯端末において、ループ状アンテナを狭いスペースに容易に配置することができるようにする。【解決手段】携帯電話機の裏側キャビネット９の周縁にループ状アンテナ１０が嵌め込まれる溝部１２を形成し、この溝部１２に連続し、ループ状アンテナ１０の線長のバラツキを吸収する線長吸収部１３を設ける。ループ状アンテナ１０に、溝部１２の形状に合わせて立体形状に成形されたループ本体１０ａと、ループ本体１０ａに連続し、ジグザグに折り曲げることで伸縮可能に形成され、線長吸収部１３に配置される伸縮部１０ｂとを設ける。【選択図】図１
2013165400.tif 000002
【特許請求の範囲】
【請求項１】
ループ状アンテナを有する携帯端末において、
上記携帯端末の一部を構成するキャビネットと、
上記キャビネットの周縁に設けられ、上記ループ状アンテナが嵌め込まれる溝部と、
上記溝部に連続し、上記ループ状アンテナの線長のバラツキを吸収する線長吸収部とを備え、
上記ループ状アンテナは、
上記溝部の形状に合わせて立体形状に成形されたループ本体と、
上記ループ本体に連続し、ジグザグに折り曲げることで伸縮可能に形成され、上記線長吸収部に収容される伸縮部とを備えている
ことを特徴とする携帯端末。
【請求項２】
請求項１の携帯端末において、
上記線長吸収部は、平坦面を有し、
上記伸縮部は、上記平坦面に沿って伸縮可能に成形されている
ことを特徴とする携帯端末。
【請求項３】
立体形状に成形されたループ本体と、
上記ループ本体に連続し、平坦な面に沿って伸縮可能なように平坦にジグザグに折り曲げて成形された伸縮部とを備えている
ことを特徴とする携帯端末用アンテナ。
【請求項４】
請求項３の携帯端末用アンテナにおいて、
上記伸縮部の上記平坦な面に沿う厚さは、上記ループ本体の直径程度に抑えられている
ことを特徴とする携帯端末用アンテナ。
【発明の詳細な説明】
【技術分野】
【０００１】
本発明は、ループ状アンテナを有する通信可能な携帯端末及び携帯端末用アンテナに関し、特にそのループ状アンテナの配置構造の改善に関する。
【背景技術】
【０００２】
従来より、ループ状アンテナを有する通信可能な携帯端末では、ループ状アンテナを金属部品から離すために、キャビネットの周縁にループ状アンテナを設けるようにしている。このループ状アンテナは、製造上生じるループ長のバラツキがある。
【０００３】
そこで、例えば、特許文献１のデータ通信装置では、ループ状アンテナを、少なくとも導線の一部が筐体の側面に沿って周回するように筐体の内面に配置し、且つその上から枠状の部材で固定している。
【先行技術文献】
【特許文献】
【０００４】
【特許文献１】特開２００８−１１２７５号公報
【発明の概要】
【発明が解決しようとする課題】
【０００５】
しかしながら、上記特許文献１の構造では、部品点数が増えると共に構造が複雑となるという問題がある。
【０００６】
一方、枠状の部材で押さえない方法として、製造上生じた余分なループ長を、そのために設計されたキャビネットの処理可能な場所で吸収させるものがある。しかし、この場合でも、ループ長が長い場合にアンテナの取付作業中にアンテナが、処理可能な場所に入りきらずにはみ出したり、キャビネットから浮き出したりするという問題があった。
【０００７】
本発明は、かかる点に鑑みてなされたものであり、その目的とするところは、簡単な構成でループ状アンテナを簡単且つ確実に配置できるようにすることにある。
【課題を解決するための手段】
【０００８】
上記の目的を達成するために、この発明では、ループ状アンテナに立体形状のループ本体に連続する、ジグザグに折り曲げることで伸縮可能に形成された伸縮部を設けた。
【０００９】
具体的には、第１の発明では、ループ状アンテナを有する携帯端末において、
上記携帯端末の一部を構成するキャビネットと、
上記キャビネットの周縁に設けられ、上記ループ状アンテナが嵌め込まれる溝部と、
上記溝部に連続し、上記ループ状アンテナの線長のバラツキを吸収する線長吸収部とを備え、
上記ループ状アンテナは、
上記溝部の形状に合わせて立体形状に成形されたループ本体と、
上記ループ本体に連続し、ジグザグに折り曲げることで伸縮可能に形成され、上記線長吸収部に収容される伸縮部とを備えている。
【００１０】
上記の発明によると、ループ本体を立体形状に形成しているので、キャビネットの溝部にぴったりと嵌り込む。このとき、ループ長が基準の長さよりも短い場合には、伸縮部のジグザグ部分の角度が大きくなって線長吸収部において伸びるので、ループ本体の嵌り込みを阻害しない。一方、ループ長が基準の長さよりも長い場合には、伸縮部のジグザグ部分の角度が小さくなって縮むことにより、余分な長さを吸収するので、伸縮部周辺が浮き上がったり、溝部から飛び出したりすることはない。
【００１１】
第２の発明では、第１の発明において、
上記線長吸収部は、平坦面を有し、
上記伸縮部は、上記平坦面に沿って伸縮可能に成形されている。
【００１２】
上記の構成によると、伸長部を線長吸収部に容易に収容することができ、伸長部は、平坦面上で滑らかに伸縮するので、ループ状アンテナの取付作業が極めて容易となる。
【００１３】
第３の発明の携帯端末用アンテナは、
立体形状に成形されたループ本体と、
上記ループ本体に連続し、平坦な面に沿って伸縮可能なように平坦にジグザグに折り曲げて成形された伸縮部とを備えている。
【００１４】
上記の発明によると、ループ本体を立体形状に形成しているので、携帯端末のキャビネットの溝部にぴったりと嵌り込む。このとき、ループ長が基準の長さよりも短い場合には、平坦な面上で伸縮部のジグザグ部分の角度が大きくなって伸びるので、ループ本体の嵌り込みを阻害しない。一方、ループ長が基準の長さよりも長い場合には、平坦な面上で伸縮部のジグザグ部分の角度が小さくなって縮むことにより、余分な長さを吸収するので、伸縮部周辺が浮き上がったり、溝部から飛び出したりすることはない。
【００１５】
第４の発明では、第３の発明において、
上記伸縮部の上記平坦な面に沿う厚さは、上記ループ本体の直径程度に抑えられている。
【００１６】
上記の構成によると、携帯端末の厚さを増やすことなく、伸縮自在な携帯端末用アンテナが得られる。
【発明の効果】
【００１７】
以上説明したように、本発明によれば、ループ状アンテナにキャビネットの溝部の形状に合わせて立体形状に成形されたループ本体と、このループ本体に連続し、ジグザグに折り曲げることで伸縮可能に形成されてキャビネットの線長吸収部に収容される伸縮部とを設けたことにより、部品点数を増やすことなく、伸縮部でループ長のバラツキを吸収できるので、簡単な構成でループ状アンテナを簡単且つ確実に配置できる。
【図面の簡単な説明】
【００１８】
【図１】本発明の実施形態に係る裏側キャビネットの一部を拡大して示す斜視図である。
【図２】携帯電話機の全体を背面側から見た斜視図である。
【図３】ループ状アンテナを拡大して示す正面図である。
【発明を実施するための形態】
【００１９】
以下、本発明の実施形態を図面に基づいて説明する。
【００２０】
図２は本発明の実施形態の携帯端末としての携帯電話機１を示す。詳しくは図示しないが、この携帯電話機１は、例えば、表示部が設けられた第１の筐体３と、表面に操作部を有する第２の筐体５とを備え、これら第１の筐体３と第２の筐体５とがヒンジ部６を介して折畳み開閉可能に連結されている。第２の筐体５は、表側に操作部の操作キーが設けられる表側キャビネット８と、この表側キャビネット８の裏側に嵌め込まれる裏側キャビネット９とを備えている。詳しくは図示しないが、表側キャビネット８には、ループ状アンテナ１０に接続される給電接点を有する基板が嵌め込まれている。
【００２１】
図１に示すように、裏側キャビネット９は、樹脂成形品よりなり、その下側には、図示しないバッテリーを覆う矩形状の平坦なバッテリー蓋部１１が一体成形されている。このバッテリー蓋部１１の上下左右周縁には、ループ状アンテナ１０が嵌め込まれる溝部１２も一体に形成されている。具体的には、この溝部１２は、裏側キャビネット９が覆う部品の配置に合わせて厚さ方向に高低差があるように連続して設けられている。溝部１２の途中には、この溝部１２に連続し、ループ状アンテナ１０の線長のバラツキを吸収する線長吸収部１３が一体に形成されている。この線長吸収部１３は、溝部１２の幅よりも広い幅を有し、底面が平坦に形成されている。このように、溝部１２，線長吸収部１３等は、樹脂成形品で一体に成形できるので、部品点数は増えない。
【００２２】
そして、ループ状アンテナ１０は、図３に示すように、溝部１２の裏側キャビネット９の厚さ方向に高低差のある形状に合わせて立体形状に成形されたループ本体１０ａと、このループ本体１０ａに連続し、ジグザグに折り曲げることで伸縮可能に形成され、線長吸収部１３に配置される伸縮部１０ｂとを備えている。ループ本体１０ａは、例えば、絶縁電線の３芯〜５芯撚線ケーブルとする。そして、ループ本体１０ａの端部には、基板の給電接点に電気的に接続するための端子部１０ｃが接続されている。端子部１０ｃは、例えば、ガラスエポキシ基板よりなり、その裏面には、例えば両面テープが貼り付けられている。裏側キャビネット９には、この端子部１０ｃを貼り付けるための平坦な端子貼付部１４が形成されている。伸縮部１０ｂは、線長吸収部１３の平坦面に沿って平ら、すなわち伸縮部１０ｂの厚さがループ本体１０ａの直径程度に収まるように成形するのが望ましく、そのことで、平坦面上で滑らかに伸縮できるように構成される。また、厚さが押さえられているので、携帯電話機１の厚さも抑えられている。
【００２３】
例えば、溝部１２の所定箇所に溝幅を狭めてループ本体１０ａを治具などで押さえ付けながら嵌め込んで、ループ状アンテナ１０が裏側キャビネット９から外れないようにするとよい。なお、線長吸収部１３には接着剤等を塗布せずに伸縮部１０ｂが平坦面上でジグザグ部分の角度αを変えることで滑らかに伸縮できるようにしておくのが望ましい。
【００２４】
次いで、このループ状アンテナ１０の取付方法について説明する。
【００２５】
まず、端子部１０ｃを端子貼付部１４に貼り付けると共に、その周辺から治具等を用いてループ本体１０ａを溝部１２に嵌め込んでいく。このとき、ループ本体１０ａは、立体形状に形成されているので、キャビネットの溝部１２にぴったりと嵌り込む。
【００２６】
そして、ループ長が基準長さよりも短い場合には、伸縮部１０ｂのジグザグ部分の角度αが広がって線長吸収部１３において伸びるので、ループ本体１０ａの嵌り込みを阻害しない。場合によっては、伸縮部１０ｂは直線状に伸びてもよい。
【００２７】
一方、ループ長が基準長よりも長い場合には、伸縮部１０ｂのジグザグ部分の角度が小さくなって縮む。このことにより、長さの誤差を吸収するので、伸縮部１０ｂの周辺が、浮き上がったり、溝部１２から飛び出したりすることはない。伸縮部１０ｂは、角度αがほぼ０になる程度まで縮むことができる。
【００２８】
以上説明したように、本実施形態によれば、部品点数を増やすことなく、伸縮部１０ｂでループ長のバラツキを吸収できるので、簡単な構成でループ状アンテナ１０を簡単且つ確実に裏側キャビネット９の正規位置に配置できる。
【００２９】
（その他の実施形態）
本発明は、上記実施形態について、以下のような構成としてもよい。
【００３０】
すなわち、上記実施形態では、携帯端末は、携帯電話機１としたが、ＰＨＳ（Personal Handy-phone System ）、ＰＤＡ(Personal Digital Assistant)、スマートフォン、パソコン、モバイルツール、電子辞書、電卓、ゲーム機等の通信機能を有するものであればよい。
【００３１】
なお、以上の実施形態は、本質的に好ましい例示であって、本発明、その適用物や用途の範囲を制限することを意図するものではない。
【符号の説明】
【００３２】
１      携帯電話機（携帯端末）
３      第１の筐体
５      第２の筐体
６      ヒンジ部
８      表側キャビネット
９      裏側キャビネット（キャビネット）
１０      ループ状アンテナ
１０ａ    ループ本体
１０ｂ    伸縮部
１０ｃ    端子部
１１      バッテリー蓋部
１２      溝部
１３      線長吸収部
１４      端子貼付部
【図１】
2013165400.tif 000003
【図２】
2013165400.tif 000004
【図３】
2013165400.tif 000005